(57)【要約】      （修正有）【課題】道路側溝として用いられるコンクリート製品の吊り上げに適した内吊り用クランプを提供する。【解決手段】吊環１０と、水平方向に延長する長さ調整可能なシャフト１３と、シャフトの両端部においてカムボルト１４ａ、１４ｂの回りを各々回転自在に設けられる一対のカム１５ａ、１５ｂと、吊環の下端に設けられる吊環ボルト１１とカムの一端との間に各々連結される一対のカムリンク１２ａ、１２ｂと、吊環ボルトを略垂直方向に移動可能に挿通させる長溝２１を備えた支持板２３とを有し、吊環を吊り上げたときに吊環ボルトおよび一対のカムリンクを介して一対のカムを外方に突出させてコンクリートブロックの内壁面に圧接させるように構成され、シャフトの両端部の下方に各々自由回転するローラー３１ａ、３１ｂが設けられる。【選択図】図１
0003222267.tif 000002
【実用新案登録請求の範囲】
【請求項１】
吊環（１０）と、水平方向に延長する長さ調整可能なシャフト（１３）と、シャフトの両端部においてカムボルト（１４ａ，１４ｂ）の回りを各々回転自在に設けられる一対のカム（１５ａ，１５ｂ）と、吊環の下端に設けられる吊環ボルト（１１）とカムの一端との間に各々連結される一対のカムリンク（１２ａ，１２ｂ）と、吊環ボルトを略垂直方向に移動可能に挿通させる長溝（２１）を備えた支持板（２３）とを有し、吊環を吊り上げたときに吊環ボルトおよび一対のカムリンクを介して一対のカムを外方に突出させてコンクリートブロックの内壁面に圧接させるように構成されたコンクリートブロック内吊りクランプにおいて、前記シャフトの両端部の下方に各々自由回転するローラー（３１ａ，３１ｂ）が設けられることを特徴とするコンクリートブロック内吊りクランプ。 
【請求項２】
さらに、前記支持板に回転可能に連結された一対のスライドリンク（２５ａ，２５ｂ）と、これらスライドリンクの下端部同士を連結するシャフト（２９）とを有し、前記ローラーは該シャフトの外周に回転自在に挿入されていることを特徴とする請求項１のコンクリートブロック内吊りクランプ。
【請求項３】
前記シャフトに該シャフトの軸長より短い長さの位置決めカラー（３０）が外嵌され、前記ローラーは該位置決めカラーによって前記スライドリンクの下端部との間に挟まれて軸方向移動が阻止されて位置決めされることを特徴とする請求項２のコンクリートブロック内吊りクランプ。
【考案の詳細な説明】
【技術分野】
【０００１】
本考案は道路側溝として用いられるコンクリート製品の吊り上げに適した内吊り用クランプに関する。
【背景技術】
【０００２】
道路側溝として用いられるコンクリート製品には、底面部を有して略Ｕ字形の断面形状を有するＵ字溝コンクリートブロック（図９）と、略逆Ｕ字形の断面形状に形成されて上面に開口部を有するＶＳ側溝コンクリートブロック（図８）とがある。
【０００３】
Ｕ字溝コンクリートブロックの内吊り用クランプの敷設作業に用いられる内吊り用クランプとしては各種のタイプが開発され実用化されている。また、ＶＳ側溝コンクリートブロックについては、その上面開口部を利用して内吊りする大型の専用クランプが開発されている。
【考案の概要】
【考案が解決しようとする課題】
【０００４】
しかしながら、従来は、Ｕ字溝ブロックの内吊りとＶＳ側溝ブロックの内吊りとではそれぞれ専用のクランプを用いる必要があり、これらブロックの内吊りに兼用できるクランプは開発されていなかった。このため、一つの現場で両方のコンクリート側溝ブロックが敷設される場合にはそれぞれに専用の異なる二種のクランプを使用しなければならず、作業効率が悪く、コスト面でも大きな問題となっていた。
【０００５】
また、特にＵ字溝ブロックを内吊りしようとするときに、クランプがコンクリートブロック内幅の中央にセットされず、内面の左右いずれかに寄った位置でセットされることがあり、この状態で吊り上げようとすると、ブロック内面に近い方のカムは該内面に接触するが、遠い方のカムは内面に接触しないことが起こり得る。この状態のまま吊り上げていくと、クランプ全体が傾いた状態となり、前者のカムは比較的低い位置で内面を把持するが、後者のカムは底面から高い位置で内面を把持することになり、Ｕ字溝ブロックが傾いた状態で吊り上げられてしまい、作業の安全性に問題があった。
【課題を解決するための手段】
【０００６】
そこで、本考案は、これら従来技術における不利欠点を解消し、コンクリートブロックの内吊りに好適に用いられるクランプを提供することを目的とする。
【０００７】
すなわち、本願の請求項１に係る考案は、吊環（１０）と、水平方向に延長する長さ調整可能なシャフト（１３）と、シャフトの両端部においてカムボルト（１４ａ，１４ｂ）の回りを各々回転自在に設けられる一対のカム（１５ａ，１５ｂ）と、吊環の下端に設けられる吊環ボルト（１１）とカムの一端との間に各々連結される一対のカムリンク（１２ａ，１２ｂ）と、吊環ボルトを略垂直方向に移動可能に挿通させる長溝（２１）を備えた支持板（２３）とを有し、吊環を吊り上げたときに吊環ボルトおよび一対のカムリンクを介して一対のカムを外方に突出させてコンクリートブロックの内壁面に圧接させるように構成されたコンクリートブロック内吊りクランプにおいて、前記シャフトの両端部の下方に各々自由回転するローラー（３１ａ，３１ｂ）が設けられることを特徴とする。 
【０００８】
本願の請求項２に係る考案は、請求項１記載のコンクリートブロック内吊りクランプにおいて、さらに、前記支持板に回転可能に連結された一対のスライドリンク（２５ａ，２５ｂ）と、これらスライドリンクの下端部同士を連結するシャフト（２９）とを有し、前記ローラーは該シャフトの外周に回転自在に挿入されていることを特徴とする。
【０００９】
本願の請求項３に係る考案は、請求項２記載のコンクリートブロック内吊りクランプにおいて、前記シャフトに該シャフトの軸長より短い長さの位置決めカラー（３０）が外嵌され、前記ローラーは該位置決めカラーによって前記スライドリンクの下端部との間に挟まれて軸方向移動が阻止されて位置決めされることを特徴とする。
【考案の効果】
【００１０】
本考案によれば、コンクリートブロック内吊りクランプがコンクリートブロック内幅の中央にセットされず、内面の左右いずれかに寄った位置でセットされたときであっても、せり出したカムが内面に接触すると同時にローラーが働いてクランプ全体が反対方向に移動し、自動的に内幅中央に位置する。したがって、コンクリートブロックを常に傾くことなく吊り上げることができ、作業の安全性を確保することができる。
【図面の簡単な説明】
【００１１】
【図１】本考案の一実施形態によるコンクリートブロック内吊りクランプの構成を示す正面図である。
【図２】同クランプの側面図である。
【図３】同クランプにおいて係止金具をクランプ外方に突出させた状態を示す拡大部分図である。
【図４】同クランプにおいて係止金具を収納位置とした状態を示す拡大部分図である。
【図５】同クランプを係止金具を図３の突出位置として用いてＶＳ側溝ブロックの内吊りを行っている状態を示す説明図である。
【図６】同クランプを係止金具を図４の収納位置として用いてＵ字溝ブロックの内吊りを行っている状態を示す説明図である。
【図７】同クランプのシャフトの連結構成および長さ調整のバリエーションを示す説明図である。
【図８】ＶＳ側溝ブロックを示す斜視図である。
【図９】Ｕ字溝ブロックを示す斜視図である。
【考案を実施するための形態】
【００１２】
本考案の一実施形態によるコンクリートブロック内吊りクランプを以下図１および図２を参照して説明する。
【００１３】
吊環１０の下端には吊環ボルト１１が設けられ、この吊環ボルト１１に一対のカムリンク１２ａ，１２ｂの各一端が連結されている。カムリンク１２ａ，１２ｂの各他端は、長さ調整可能なシャフト１３の両端にカムボルト１４ａ，１４ｂにより回転自在に軸支された一対のカム１５ａ，１５ｂの一端と連結されている。これら吊環１０，吊環ボルト１１，カムリンク１２ａ，１２ｂ，シャフト１３，カムボルト１４ａ，１４ｂおよびカム１５ａ，１５ｂより作動体１６が構成され、クランプには一対の作動体１６，１６が備えられる。図２に明らかなように、一対の作動体１６，１６は、吊環１０，１０の上端部同士を連結する連結シャフト１７、吊環ボルト１１，１１を両端に螺着する連結シャフト１８およびカムボルト１４ａ，１４ｂを各々両端に螺着する連結シャフト１９によって所定間隔に連結され、且つ、互いに同期して連動する。
【００１４】
各作動体１６において、シャフト１３ａ，１３ｂの上面には支持材３７が固定され、さらに支持材３７の上部に固定されたガイド３９内に、略水平方向に延長する係止金具３８が摺動自在に組み込まれている。さらに図３および図４を参照して、係止金具３８は蝶ボルト４２によりガイド３９に対して固定されるが、蝶ボルト４２を緩めた状態では左右方向に自由に摺動可能であり、クランプの外方（矢印Ａ方向）に向けて突出する図３の位置と、クランプの内方（矢印Ｂ方向）に収納される図４の位置の２位置を取り得るものであり、これらの位置において蝶ボルト４２の下端を嵌入可能とする係止溝４３ａ，４３ｂが設けられている。図１では、一対の係止金具３８，３８がクランプの内方に収納された図４の位置にあるものとして示されている。なお、係止金具３８の両端にはガイド３９からの抜け落ちを防止するためのストッパ４０，４１が形成され、蝶ボルト４２には抜け外れを防止するためのスプリング４４が組み込まれている。
【００１５】
一方、支持体２０は、略垂直方向に延長する上部長溝２１および下部長溝２２を有する支持板２３を有する。吊環ボルト１１は支持板２３の上部長溝２１内を挿通しており、上部長溝２１に沿って略垂直方向に移動可能である。一対の第１スライドリンク２５ａ，２５ｂは、その上端が支持板２３にアームボルト２４ａ，２４ｂで連結され、さらに下方に形成した挿通穴（図示省略）を挿通することにより位置決めされている。また、第１スライドリンク２５ａ，２５ｂの略中間部には一対の第２スライドリンク２６ａ，２６ｂの一端が各々連結されている。第２スライドリンク２６ａ，２６ｂの各他端はいずれも、支持板２３の下部長溝２２内を移動可能なスライドボルト２７に枢着されている。これら支持板２３，第１スライドリンク２５ａ，２５ｂ，第２スライドリンク２６ａ，２６ｂ，スライドボルト２７等により構成される支持体２０が設けられ、図２より明らかなように、アームボルト２４ａ，２４ｂを両端に螺着する連結シャフト２８および支持板２３，２３の下端部同士を連結する連結シャフト２９によって所定間隔に連結され、且つ、互いに同期して連動する。
【００１６】
第１スライドリンク２５ａ，２５ｂはカムボルト１４ａ，１４ｂを超えてさらに下方に延長し、それらの下端部にローラー３１ａ，３１ｂが回転自在に取り付けられている。より具体的には、第一スライドリンク２５ａ，２５ｂの下端部がシャフト２９の両端にボルト止めされており、このシャフト２９の外周にローラー３１ａ，３１ｂが回転自在に挿入されている。また、このシャフト２９には、その軸長より短い長さのカラー３０が外嵌されており、ローラー３１ａ，３１ｂはシャフト２９の両側において第１スライドリンク２５ａ，２５ｂとの間に挟まられた状態で位置決めされている。これにより、ローラー３１ａ，３１ｂの軸方向移動が阻止され、第１スライドリンク２５ａ，２５ｂの下端部に略内接した位置を保持している。
【００１７】
以上の説明から明らかなように、このクランプは各々一対の作動体１６と支持体２０とで構成され、支持体２０における第１スライドリンク２５ａ，２５ｂの各一端が作動体１６におけるカムボルト１４ａ，１４ｂに連結され、且つ、作動体１６におけるカムリンク１２ａ，１２ｂの開閉支点となる吊環ボルト１１が支持体２０における支持板２３の上部長溝２１内に移動可能に収容されていることにより、これら作動体１６と支持体２０とが一体化されている。作動体１６はクランプ開閉動作を行い、支持体２０は作動体１６を安定的に支持している。また、ローラー３１ａ，３１ｂによりクランプ全体が水平方向（幅方向）に走行移動可能とされている。
【００１８】
図１および図２はクランプが閉じた状態を示している。このとき、吊環ボルト１１は支持板２３の上部長溝２１の下端近くに位置している。クランプをこの状態として、吊り上げようとするコンクリート製品のＵ字溝内またはＶＳ側溝内に配置する。
【００１９】
この状態から吊環１０が吊り上げられると、吊環ボルト１１が上部長溝２１に沿って上方に移動し、一対のカムリンク１２ａ，１２ｂが互いに閉じる方向に回転し、これに伴ってカム１５ａ，１５ｂが各々カムボルト１４ａ，１４ｂを支点として互いに開く方向に回転する。かくしてカム１５ａ，１５ｂは図１に仮想線で示す位置となり、コンクリート製品の内面Ｗ，ＷまたはＷ’，Ｗ’（いずれも後述）にカム１５ａ，１５ｂの外周に形成された係合歯（図示せず）が噛み合い、コンクリート製品の吊り上げを可能にする。
【００２０】
なお、図示実施形態のクランプには、クランプでコンクリートブロックを吊り上げた後にこれを所定位置に着地させることによりクランプに作用していた負荷が零となったときにカム１５ａ，１５ｂを自動的に解放させる自動着脱機構４５が組み込まれており、作業の効率化を図っているが、本考案の主題とは直接関連しないので説明を省略する。自動着脱機構４５については本出願人による特願平１０−３２１４２２号において詳細に述べられている。
【００２１】
図示実施形態のクランプはＶＳ側溝ブロックの内吊りとＵ字溝ブロックの内吊りとに兼用することができる。図５はＶＳ側溝ブロック３５の内吊りに用いた場合を示しており、図６はＵ字溝ブロック３６の内吊りに用いた場合を示している。この２種類のブロックにおける大きな違いは、Ｕ字溝ブロック３６には底面部があるがＶＳ側溝ブロック３５には底面部がないことであり、このため、Ｕ字溝ブロック３６の内吊りの場合（図６）はクランプを底面部に載置した状態で安定した姿勢で内吊り作業を行うことができるが、ＶＳ側溝ブロック３５の内吊りの場合（図５）はクランプをＶＳ側溝ブロック３５の内壁面Ｗ’，Ｗ’における溝深さ方向の中途に位置させて内吊りをしなければならない。
【００２２】
各作動体１６において支持材３７上部のガイド３９内に摺動自在に設けられた係止金具３８は、特にＶＳ側溝ブロック３５を内吊りする場合に有効に働くものである。この場合、図５に示すように、一対の係止金具３８，３８をクランプの外方に突出させた状態（図３）で蝶ボルト４２および係止溝４３ｂによりガイド３９に固定し、これら係止金具３８，３８をＶＳ側溝ブロック３５の開口部に臨む段差面Ｓ，Ｓに載置させることでクランプの姿勢を安定化し、この状態で内吊りを行うことができる。あるいは、図示しないが、係止金具３８，３８をＶＳ側溝ブロック３５の開口部の外方に残されている上面Ｓ’，Ｓ’に載置させた状態で内吊りしてもよい。
【００２３】
なお、Ｕ字溝ブロック３６の内吊りに用いるときは、図６に示すように、一対の係止金具３８，３８はクランプの内方に収納した状態（図４）で蝶ボルト４２および係止溝４３ａによりガイド３９に固定する。この状態では係止金具３８，３８はクランプの外方には何ら突出していないので、クランプをＵ字溝ブロック３６内に収容載置するに際して邪魔になることがない。
【００２４】
さらに、このクランプは内寸（内面Ｗ，ＷまたはＷ’，Ｗ’間の間隔）の異なるコンクリート製品の吊り上げに汎用することができる。これは、シャフト１３の長さが調整可能とされていることによって達成される。図示実施形態では、シャフト１３は、各々その外方端にカムボルト１４ａ，１４ｂを介してカム１５ａ，１５ｂを回転自在に軸支する一対の小径シャフト１３ａ，１３ｂと、これら小径シャフト１３ａ，１３ｂの各々内方端部を収容する大径中央シャフト１３ｃとからなり、小径シャフト１３ａ，１３ｂの各々内方端部には一つのピン挿通穴（図示せず）が設けられると共に、大径中央シャフト１３ｃの両端部には各々数個のピン調整穴が設けられている。そして、小径シャフト１３ａ，１３ｂのピン挿通穴と、大径中央シャフト１３ｃにおいて選択した位置のピン調整穴とに抜き差しピン３４を挿入することによってこれらシャフト１３ａ〜１３ｃを連結一体化する。大径中央シャフト１３ｃにおいて異なる位置のピン調整穴を用いることにより、このシャフト１３ｃに対する小径シャフト１３ａ，１３ｂの内方端部の収容長さを調整することができ、一体化されたシャフト１３の長さを調節することができる。
【００２５】
たとえば大径中央シャフト１３ｃの両端部に各々２個のピン調整穴３２ａ，３２ｂ；３３ａ，３３ｂを設けた場合、図７（Ａ）に示すようにいずれも外側のピン調整穴３２ａ，３３ａを用いて各々小径シャフト１３ａ，１３ｂを連結させた場合と、図７（Ｂ）に示すように一方は外側（３３ａ）、他方は内側（３２ｂ）のピン調整穴を用いて小径シャフトを連結させた場合と、図７（Ｃ）に示すようにいずれも内側のピン調整穴３２ｂ，３３ｂを用いて各々小径シャフトを連結させた場合と、３通りの長さのシャフト１３を得ることができる。
【００２６】
シャフト１３は広い範囲において微調整可能にすることが好ましいが、これは、大径中央シャフト１３ｃの両端部に狭い間隔で多数の調整穴を設けることによって、あるいは小径シャフト１３ａ，１３ｂの内方端部にも複数のピン調整穴を設けることによって、あるいはこれらシャフトを構成する部材、特に大径中央シャフト１３ｃについて複数の長さを有するものを用意しておいて適宜交換して用いることによって、あるいはこれらを併用することによって、実現することが可能である。
【００２７】
従来技術に関連して既述したように、特にＵ字溝ブロックを内吊りしようとするときに、クランプがコンクリートブロック内幅の中央にセットされず、内面の左右いずれかに寄った位置でセットされることがあり、この状態で吊り上げようとすると、一方のカムが把持する内面の高さ位置と、他方のカムが把持する内面の高さ位置が異なることによってコンクリートブロックが傾いた状態で吊り上げられてしまうことがあったが、図示実施形態によるクランプには自由回転するローラー３１ａ，３１ｂが設けられているので、この不利欠点を解消させることができる。
【００２８】
詳しく説明すると、長さ調整可能なシャフト１３を用いることにより各種の内幅のコンクリートブロック内吊りに使用可能とすることができ、図７に示す実施形態とすれば３通りの長さのシャフト１３を得ることができるとしても、吊り上げようとするコンクリートブロックの内幅は多種多様であり、シャフト１３の長さをコンクリートブロックの内幅に厳密に対応させることは困難である。たとえば、図７においてシャフト１３の長さを３５０ｍｍ（Ａ）、３００ｍｍ（Ｂ）および２５０ｍｍ（Ｃ）に調整可能とした場合、図７（Ａ）にセットした状態で３０５〜３５０ｍｍ幅のコンクリートブロックを吊り上げることになり、特に３０５ｍｍ幅のコンクリートブロックにセットすると、左右いずれかに寄った位置でセットされることが多くなる。この位置のままで吊り上げようとすると、既述したように、コンクリートブロックが傾いた状態で吊り上げられることになる。しかしながら、ローラー３１ａ，３１ｂが設けられていることにより、片方に寄った位置にセットされたことにより一方のカムだけが近くのブロック内面に接触すると同時にクランプ全体が他方に向けて走行移動し、クランプが自動的に内幅中央位置にセットされる。したがって、常にコンクリートブロックを傾かせずに安定した状態で吊り上げることができる。
【００２９】
本考案は上記した図示実施形態に限定されず、請求項に記載の範囲内において種々変更が可能である。
【符号の説明】
【００３０】
１０  吊環
１１  吊環ボルト
１２ａ，１２ｂ  カムリンク
１３  長さ調整可能なシャフト
１３ａ，１３ｂ  小径シャフト
１３ｃ  大径シャフト
１４ａ，１４ｂ  カムボルト
１５ａ，１５ｂ  カム
１６  作動体
２０  支持体
２１  上部長溝
２２  下部長溝
２３  支持板
２４ａ，２４ｂ  アームボルト
２５ａ，２５ｂ  第１スライドリンク
２６ａ，２６ｂ  第２スライドリンク
２７  スライドボルト
３１ａ，３１ｂ  ローラー
３２ａ，３２ｂ  ピン調整穴
３４  抜き差しピン
３５  ＶＳ側溝ブロック
３６  Ｕ字溝ブロック
３７  支持材
３８  係止金具
３９  ガイド
４０，４１  ストッパ
４２  蝶ボルト
４３ａ，４３ｂ  係止溝
４４  スプリング
４５  自動着脱機構
Ｗ  Ｕ字溝ブロックの内面
Ｗ’  ＶＳ側溝ブロックの内面
Ｓ  ＶＳ側溝ブロックの内側段差面
Ｓ’  ＶＳ側溝ブロックの上面 
【図１】
0003222267.tif 000003
【図２】
0003222267.tif 000004
【図３】
0003222267.tif 000005
【図４】
0003222267.tif 000006
【図５】
0003222267.tif 000007
【図６】
0003222267.tif 000008
【図７】
0003222267.tif 000009
【図８】
0003222267.tif 000010
【図９】
0003222267.tif 000011